(57)【要約】【課題】ペットボトル等に収容した水の臭いなどを除去し、おいしい水を飲むことができる浄水具を提供する。【解決手段】 通水可能な中空なケース５に繊維状の銅６を収容する。繊維状の銅６は不織布状となって設けられている。ケース５はほぼ円筒形又は球形であり、その直径ｄは２０ミリメートル以下に形成されるとともに、ケース５の一端に浮室８が設けられた浄水具４を、上部開口筒部２を通してペットボトル１に入れて水Ｗを銅６の微量作用により抗菌、除菌、殺菌の作用がなされ、さらに残留塩素を除去することができる。ペットボトル１内の水Ｗを浄化しておいしい水Ｗをペットボトル１内で作ることができる。【選択図】図１
0003121531.tif 000002
【実用新案登録請求の範囲】
【請求項１】
通水可能な中空なケースに繊維状の銅を収容した浄水具において、
前記ケースに浮室を備えたことを特徴とする浄水具。
【請求項２】
前記繊維状の銅が不織布状となって設けられていることを特徴とする請求項１記載の浄水具。
【請求項３】
前記ケースはほぼ円筒形又は球形であり、その直径は２０ミリメートル以下に形成されると共に、前記ケースに内外を連通する通水孔を形成したことを特徴とする請求項１または２記載の浄水具。
【請求項４】
前記繊維状の銅は、直径が１０乃至３０ミクロンメートルであることを特徴とする請求項３記載の浄水具。
【考案の詳細な説明】
【技術分野】
【０００１】
本考案は、ペットボトル、魔法瓶或いは水筒等に収容する浄水具に関する。
【背景技術】
【０００２】
従来、この種のものとして、ペットボトル、魔法瓶或いは水筒等に収容可能かつ通水可能な中空なケースに繊維状の銅を収容した浄水具があり、繊維状の銅を密に設けて銅の表面積を増大させ、水道水と銅の接触面積を増大し銅の微量作用を有効に作用させることができるというものである（特許文献１）。
【特許文献１】実用新案登録第３０７６３７６号公報
【考案の開示】
【考案が解決しようとする課題】
【０００３】
しかし、上記の浄水具では、容器の底部に配置されるため、そのままでは、ケース内部に水が連通されにくく、水の抗菌、除菌、殺菌処理の速度が遅い。さらに、浄水具に浄化された水においても、容器の底部に沈滞するため、容器全体の水道水の浄化に時間が掛かり、また、満遍なく水を浄化させるには、容器を手に取り揺さぶるなどしなければならないなどの課題を有していた。
【０００４】
そこで、本考案は、ペットボトル、魔法瓶或いは水筒等に収容した水を効果的に浄化し、おいしい水を飲むことができる浄水具を提供することを目的とする。
【課題を解決するための手段】
【０００５】
請求項１の考案は、通水可能な中空なケースに繊維状の銅を収容した浄水具において、前記ケースに浮室を備えたことを特徴とする浄水具である。
【０００６】
この請求項１の構成によれば、水道水と銅の接触面積を増大し銅の微量作用を有効に作用させることができる。また、浄水具のケースを浮き状にすることにより、水の流動によりケース内に水を効果的に連通させるため、水の抗菌、除菌、殺菌作用をなす処理の速度が上がる。さらに、浮き状のケースにすることで、水を注いだ時にペットボトル等の容器内における液面の方向へと浮き状のケースが移動し、容器の上部開口筒部からケースが飛び出すことを防ぐ。
【０００７】
請求項２の考案は、前記繊維状の銅が不織布状となって設けられていることを特徴とする請求項１記載の浄水具である。
【０００８】
この請求項２の構成によれば、繊維状の銅を密に設けて銅の表面積を増大させ、水と銅の接触面積を増大し銅の微量作用を有効に作用させることができる。
【０００９】
請求項３の考案は、前記ケースはほぼ円筒形又は球形であり、その直径は２０ミリメートル以下に形成されると共に、前記ケースに内外を連通する通水孔を形成したことを特徴とする請求項１または２記載の浄水具である。
【００１０】
この請求項３の構成によれば、ペットボトル等に浄水具を入れてペットボトルに収容した水を浄化することができる。
【００１１】
請求項４の考案は、前記繊維状の銅は、直径が１０乃至３０ミクロンメートルであることを特徴とする請求項３記載の浄水具である。
【００１２】
この請求項４の構成によれば、極細線状の銅により多量の銅を収納でき、水と銅の接触面積を増大させて銅の微量作用を一層有効に作用させることができる。
【実施例１】
【００１３】
以下、本考案の実施例１を添付図を参照して説明する。図中１は例えば鳥龍茶等の各種飲料を収容した例えば容量が５００ｍｌの容器たるペットボトルであり、このペットボトル１の上部開口筒部２は例えば口径Ｄが通常ほぼ２０ミリメートルに形成されると共に、キャップ３が着脱自在に設けられている。上部開口筒部２を通してペットボトル１に挿入する浄水具４は、金属製或いは合成樹脂製の中空なケース５に繊維状の銅６を収容したものである。そして、前記繊維状の銅６は直径は１０乃至３０ミクロンメートルであり、不織布状となってケース５に収容されている。また前記ケース５はほぼ円筒形であり、その直径ｄは上部開口筒部２の口径Ｄより小径となって２０ミリメートル以下に形成されると共に、内外を連通する通水孔７を複数形成している。
【００１４】
さらに、前記ケース５の一端には、金属製或いは合成樹脂製の中空な浮室８が設けられており、前記浮室はケース５同様、その直径eが上部開口筒部２の口径Ｄより小径となって２０ミリメートル以下に形成されたほぼ円筒形に形成されたものである。
【００１５】
次に前記構成につきその作用を説明する。使用済みのペットボトル１に水道水Ｗを上部開口筒部２より所定量収容する。次に浄水具４を上部開口筒部２より入れて、浄水具４を浸漬すると水Ｗは通水孔７を通ってケース５の内側に侵入し銅６と接触する。この銅６の微量作用により抗菌、除菌、殺菌の作用がなされ、さらに残留塩素を除去することができる。このようにして浄水具４により浄化した水Ｗを上部開口筒部２より飲用するものである。特に銅６は直径が１０乃至３０ミクロンメートルであり、不織布状となってケース５に収容されているので、銅６と水Ｗとの接触面積を増大することができる。
【００１６】
ケース５の一端に浮室８を備えた浄水具４は、ペットボトル１の内部に水道水Ｗを所定量収容すると、浮室８により液面Ｌに向かって浮遊することとなる。そして、水Ｗの流動又は液面Ｌの揺れに伴なう浄水具４の揺動により、浄水具５の内部へと侵入した水Ｗが銅６に対し流動し易くなり、水Ｗと銅６とが有効に接触し、水Ｗの抗菌、除菌、殺菌及び残留塩素除去処理が効果的に行われるため、水Ｗの浄化の処理速度が上がる。
【００１７】
また、浄化処理された水Ｗが、水Ｗの流動又は浄水具４の揺動により、ペットボトル１の内部に撹拌され、ペットボトル１の水Ｗの浄化が一層効果的に行われる。
【００１８】
さらに、ペットボトル１の上部開口筒部２から水Ｗを注ぐ時に、図２に示すように、ペットボトル１の液面Ｌは、その容器の底側へ移り、液面Ｌの移動に伴ない浮室８を備えた浄水具４も容器の底側へと移動し、下方へ向けられた上部開口筒部２に対し、上方に位置する底部側に浄水具４があるため、上部開口筒部２から浄水具４が飛び出すことはない。
【００１９】
以上のように、前記実施例では請求項１に対応して通水可能な中空なケース５に繊維状の銅６を収容した浄水具４において、前記ケース５に浮室８を備えたことにより、ペットボトル１に入れることにより銅６の微量作用により抗菌、除菌、殺菌の作用がなされ、さらに残留塩素を除去することができ、ペットボトル１内の水Ｗを浄化しておいしい水Ｗを提供することができる。また、浄水具４のケース５を浮き状にすることで、水Ｗの流動によりケース５内に水Ｗを効果的に連通させ、水Ｗの抗菌、除菌、殺菌処理の速度が上がる。さらに、浮き状のケース５にすることで、水Ｗを注いだ時にペットボトル等の容器１内における液面Ｌの方向へと浮き状のケース５が移動し、容器１の上部開口筒部２からケースが飛び出すことを防ぐ。
【００２０】
また、前記実施例では請求項２に対応して前記繊維状の銅６が不織布状となって設けられていることにより、銅６の表面積を増大させ、水道水Ｗと銅６の接触面積を増大し銅６の微量作用により、残留塩素除去作用及び抗菌、除菌、殺菌の作用を効果的に図ることができる。
【００２１】
さらに、前記実施例では請求項３に対応して前記ケース５はほぼ円筒形であり、その直径ｄを２０ミリメートル以下に形成したことにより、浄水具４を上部開口筒部２を通してペットボトル１に入れて水Ｗを浄化することができるので、使用済みのペットボトル１を再利用しておいしい水Ｗを携帯すると共に、飲むことができる。さらに、前記ケース５の内外を連通する通水孔７を形成し、この通水孔７を通して水Ｗをケース５に導入して該水Ｗを銅６に確実に接触させることができる。
【００２２】
また、前記実施例では請求項４に対応して前記繊維状の銅６を、直径が１０乃至３０ミクロンメートルの極細とすることにより、ケース５の容積が比較的小さい容量であっても、極めて多数の繊維状の銅６を収容して水道水Ｗと銅６の接触面積を増大し銅６の微量作用により、残留塩素除去作用及び抗菌、除菌、殺菌の作用を一層効果的に図ることができる。
【００２３】
尚、本考案は上記実施例１に限定されるものではなく、本考案の要旨の範囲内において、種々の変形実施が可能である。例えば、実施例１ではケース５を円筒形としたが球形等でもよく、また、ペットボトル１にかえて魔法瓶、水筒等でもよい。
【００２４】
さらに、実施例１の変形例としては、図３に示すように、ケースを軸方向に延長したものにすると、浄水具一つ当りの浄化処理量も向上するため、容積の大きな容器、例えば、２０リットル用ポリタンク等の水タンクや貯水槽に用いることが可能となる。また、通水孔７の形状も図３に示すような、スリット状にしたものでもよい。
【図面の簡単な説明】
【００２５】
【図１】本考案の実施例１における要部を拡大した一部切り欠き正面図である。
【図２】本考案の実施例１における浄水具を収納したペットボトルの水を注ぎ出した状態を示す参考断面図である。
【図３】本考案の実施例１の変形例を示す一部切り欠き正面図である。
【符号の説明】
【００２６】
４  浄水具
５  ケース
６  繊維状の銅
７  通水孔
８  浮室
【図１】
0003121531.tif 000003
【図２】
0003121531.tif 000004
【図３】
0003121531.tif 000005